(57)【要約】【課題】  大きい角度の扇面の光面を形成する墨出用のレーザー照射装置を提供する。【解決手段】  コリメーターレンズ２とシリンドリカルレンズ３の間に像の一軸方向成分のみがレンズとして作用して当該像を拡大・縮小する一軸曲率レンズ４を増加することにより、レーザー光束は一軸曲率レンズ４によりシリンドリカルレンズ３に照射された時、最大限にシリンドリカルレンズ３の端までレーザー光量を増加することができるため、より角度の大きい扇型の光面を得ることができ、かつ全ての扇型の光面上にあるレーザー光量を均一に得ることができる。また、１個の一軸曲率レンズ４を追加しただけで角度の大きい扇型の光面を得ることが可能であり構造的に簡単で製造原価もあまり上がらずに済むことができる。【選択図】    図１
2007232696.tif 000002
【特許請求の範囲】
【請求項１】
１体のボディーに駆動電源が内蔵されたレーザー発光装置と、該レーザー発光装置から照射されたレーザー光束を平行ビーム光にするコリメーターレンズと、該コリメーターレンズからの平行ビーム光を扇形光面として前方の投影面にライン状に照射するシリンドリカルレンズと、を備えた墨出用のレーザー照射装置において、
該レーザー照射装置は、前記コリメーターレンズとシリンドリカルレンズとの間に像の一軸方向成分のみがレンズとして作用して当該像を拡大・縮小する一軸曲率レンズを設置し、
前記レーザー発光装置から照射されたレーザー光束を前記コリメーターレンズに通した後、前記一軸曲率レンズによって扇型の光面とし、さらに前記シリンドリカルレンズに通して角度の広い扇型の光面となるようにしたことを特徴とする墨出用のレーザー照射装置。
【請求項２】
請求項1に記載の墨出用のレーザー照射装置において、前記一軸曲率レンズは、シリンドリカルレンズであることを特徴とする墨出用のレーザー照射装置。
【発明の詳細な説明】
【技術分野】
【０００１】
本発明は主に建築・インテリア・内装工事において使用される墨出用のレーザー照射装置に関するものである。
【背景技術】
【０００２】
建築・インテリア・内装工事において墨出し作業を実施する時、近年レーザー光束発生装置を利用したものが多く利用されている。その構成は、例えば、特開２００２−３５７４２１号公報に示されるものが主流を占めている。この特開２００２−３５７４２１号公報に示される構成を模式図化して示したものが図３である。しかして、図３に示すレーザー光束発生装置のユニットは、１体のボディーに駆動電源が内蔵されたレーザー発光装置１の前にコリメーターレンズ２を設置し、そのコリメーターレンズ２の前方にシリンドリカルレンズ３を設置する。そして、レーザー発光装置１から照射されたレーザー光束がコリメーターレンズ２によって平行ビーム光となり、平行ビーム光束はシリンドリカルレンズ３によって両側から外に向かって扇型光面となって前方の投影面すなわち壁、床、天井等の墨出し作業面にライン状に照射される。
【特許文献１】特開平２００２−３５７４２１号公報（段落００１３）
【発明の開示】
【発明が解決しようとする課題】
【０００３】
しかし、グリン色レーザーの平行ビーム光はシリンドリカルレンズ３によって形成された扇型の光面の角度が大きくなく、墨出作業面にライン状に照射されたレーザーライン線が比較的短いため作業に不便をもたらすことがある。本発明は、上述の不便を解消するためになされたもので、その目的とするところは、大きい角度の扇面の光面を形成する墨出用のレーザー照射装置を提供することである。
【課題を解決するための手段】
【０００４】
請求項１に係る発明を図面を参照して説明すると、図１に示すように、１体のボディーに駆動電源が内蔵されたレーザー発光装置１と、該レーザー発光装置１から照射されたレーザー光束を平行ビーム光にするコリメーターレンズ２と、該コリメーターレンズ２からの平行ビーム光を扇形光面として前方の投影面にライン状に照射するシリンドリカルレンズ３と、を備えた墨出用のレーザー照射装置において、該レーザー照射装置は、前記コリメーターレンズ２とシリンドリカルレンズ３との間に像の一軸方向成分のみがレンズとして作用して当該像を拡大・縮小する一軸曲率レンズ４を設置し、前記レーザー発光装置１から照射されたレーザー光束を前記コリメーターレンズ２に通した後、前記一軸曲率レンズ４によって扇型の光面とし、さらに前記シリンドリカルレンズ３に通して角度の広い扇型の光面となるようにしたことを特徴とする。また、一軸曲率レンズ４としては、図１に示すように、円柱状のロッドシリンドリカルレンズ４や、図２に示すように、平凸シリンドリカルレンズ５、平凹シリンドリカルレンズ、あるいはシリンダーフレネルレンズ等（請求項２に係る発明）を使用することができる。
【発明の効果】
【０００５】
本発明は従来の方法に比べて以下のようなメリットがある。即ち、第一に、コリメーターレンズとシリンドリカルレンズの間に像の一軸方向成分のみがレンズとして作用して当該像を拡大・縮小する一軸曲率レンズを増加することにより、レーザー光束は一軸曲率レンズによりシリンドリカルレンズに照射された時、最大限にシリンドリカルレンズの端までレーザー光量を増加することができる。そして、より角度の大きい扇型の光面を得ることができ、かつ全ての扇型の光面上にあるレーザー光量を均一に得ることができる。第二に、従来の方法に一軸曲率レンズとして、１個のシリンドリカルレンズを追加しただけで角度の大きい扇型の光面を得ることが可能であり構造的に簡単で製造原価もあまり上がらずに済むことができる。
【発明を実施するための最良の形態】
【０００６】
以下、本発明の実施例を図面を参照しながら説明する。
〔実施例１〕
図１に示すように、１体のボディーに駆動電源が内蔵されたレーザー照射装置１と、コリメーターレンズ２と、さらにコリメーターレンズ２の前方にシリンドリカルレンズ３と、を設置する。そしてコリメーターレンズ２とシリンドリカルレンズ３の間に像の一軸方向成分のみがレンズとして作用して当該像を拡大・縮小する一軸曲率レンズ４を設置する。シリンドリカルレンズ３と一軸曲率レンズ４との間の距離は短く、レーザー照射装置１から照射されたレーザー光束をコリメーターレンズ２に通した後一軸方向に曲率を有する一軸曲率レンズ４によって小さな扇形の光面となり、さらにシリンドリカルレンズ３に通して角度の広い扇形の光面となる。この扇形の光面が前方の投影面（壁など）により長いレーザーライン線でかつ均一したレーザーライン線を形成させることができる。なお、実施例１の場合の一軸曲率レンズ４は、円柱状のロッドシリンドリカルレンズである。
【０００７】
〔実施例２〕
図２に示すように、この実施例は像の一軸方向成分のみがレンズとして作用して当該像を拡大・縮小する一軸曲率レンズ５に平凸シリンドリカルレンズ５を採用している。この平凸シリンドリカルレンズ５の平面状部分をコリメーターレンズ２と相対位置に設置し、凸状部分をシリンドリカルレンズ３と相対位置に設置する。実施例２の他の部分は実施例１と同じである。しかして、実施例２においても、レーザー照射装置１から照射されたレーザー光束をコリメーターレンズ２に通した後一軸方向成分のみがレンズとして作用する平凸シリンドリカルレンズ５によって小さな扇形の光面となり、さらにシリンドリカルレンズ３に通して角度の広い扇形の光面となる。この扇形の光面が前方の投影面（壁など）により長いレーザーライン線でかつ均一したレーザーライン線を形成させることができる。
【図面の簡単な説明】
【０００８】
【図１】実施例１の概略構成である。
【図２】実施例２の概略構成である。
【図３】従来の方法を示す概略構成である。
【符号の説明】
【０００９】
１  レーザー照射装置
２  コリメーターレンズ
３  シリンドリカルレンズ
４  ロッドシリンドリカルレンズ（一軸曲率レンズ）
５  平凸シリンドリカルレンズ（一軸曲率レンズ）
【図１】
2007232696.tif 000003
【図２】
2007232696.tif 000004
【図３】
2007232696.tif 000005